(57)【要約】      （修正有）【課題】ヒートシール端面からの厳格な化学薬品耐透過性に優れ、化学薬品が手袋使用者の手に到達して、使用者の手を痛めることのない手袋の五層積層体を提供する。【解決手段】エチレンとビニルアルコールが共重合された共重合体樹脂層からなる中心層２の両面に、ポリオレフィン系樹脂層からなる外層３を、極性基を有しないポリオレフィン系樹脂薄層からなる接着剤層４を介して緊密に積層してなる。【選択図】図１
0003195021.tif 000002
【実用新案登録請求の範囲】
【請求項１】
中心層としてのエチレンとビニルアルコールが共重合された共重合体樹脂層の両面に、外層としてのポリオレフィン系樹脂層を、接着剤層としての極性基を有しないポリオレフィン系樹脂薄層を介して緊密に積層してなることを特徴とする手袋用五層積層体。
【請求項２】
前記中心層としてのエチレンとビニルアルコールが共重合された共重合体樹脂層は、延伸された樹脂層であることを特徴とする請求項１記載の手袋用五層積層体。
【考案の詳細な説明】
【技術分野】
【０００１】  本考案は、化学薬品耐透過性の良好な手袋用五層積層体に関するものである。
【背景技術】
【０００２】  化学薬品等を扱う手袋は、当然に、手袋の表面から化学薬品等が浸透しないように形成されているので、化学薬品などが使用者の手に届かない優れた作用効果を有している。しかしながら、化学薬品の透過では、手袋の表面からの化学薬品耐透過性のみが重要視されていて、手袋使用者の手に化学薬品が到達しないはずであるが、現実には、手袋使用者の手に化学薬品が到達することが本考案者の研究によって知られたのである。【０００３】  従来の手袋としては、例えば  特許文献１に記載のプラスチックシート製などの手袋を例示することができる。この種のプラスチックシート製などの手袋の化学薬品耐透過性に欠ける原因を厳格に試験してみると、化学薬品は、表面からのみ浸透するのではなく、この浸透を防いだとしても、ヒートシール端面から従来の接着剤層（ウレタン基等の極性基を有する）を通して内部に浸透することが解明されたのである。このヒートシール端面から内部までの長さは、一例として２０００ミクロンであって、生地の厚さは一例として１００ミクロンであり、このヒートシール端面からの厚さは、生地の厚さに比較するとはるかに長いのであり、この浸透が研究者の盲点となっていて、ヒートシール端面からの浸透がウレタン基等の極性基を有する接着剤の存在によって、予想外に大きいことが本考案者によって解明されたのである。
【先行技術文献】
【０００４】
【特許文献１】  実用新案登録第３，１６３，３５７号公報
【０００５】  したがって、上記のような特許文献１に記載のような手袋では、一般的な断面構造の素材を使用すると、厳格な化学薬品耐透過性に欠けるので、化学薬品が手袋使用者の手に到達して、使用者の手を痛めるという欠陥があった。
【考案の概要】
【考案が解決しようとする課題】
【０００６】  本考案は、かかる現状に鑑み、ヒートシール端面からの厳格な化学薬品耐透過性に優れていて、化学薬品が手袋使用者の手に到達して、使用者の手を痛めることのない手袋の多層積層体の提供を目的とするものである。
【課題を解決するための手段】
【０００７】  本考案は、上記目的を達成するものであって、中心層としてのエチレンとビニルアルコールが共重合された共重合体樹脂層の両面に、外層としてのポリオレフィン系樹脂層を、接着剤層としての極性基を有しないポリオレフィン系樹脂薄層を介して緊密に積層してなることを特徴とする手袋用五層積層体である。これによって、特許文献１の手袋は、化学薬品耐透過性においても優れた効果を有するものに改善することが可能となったのである。なお、前記中心層としてのエチレンとビニルアルコールが共重合された共重合体樹脂層は、延伸された樹脂層であることが望ましい。
【考案の効果】
【０００８】  本考案の手袋では、中心層としてエチレンとビニルアルコールが共重合された共重合体樹脂層が使用されているので、化学薬品耐透過性に優れており、しかも手袋の外層はヒートシール性が良く、化学薬品耐透過性にある程度優れたポリオレフィン系樹脂層で形成されているので、外層からの化学薬品耐透過性に優れており、しかも、これまでの研究者の使用する接着剤の盲点であったヒートシール端面からの化学薬品耐透過性は、外層と中心層、中心層と外層とをそれぞれ接着する接着剤としては極性基を有しないポリオレフィン系樹脂層で接着積層されているので、ヒートシール端面からの化学薬品耐透過性においても優れているので、本考案の手袋では、ＪＩＳＴ８０３０に表示されている各種薬品に対して高い耐透過性を示し、使用者の手を痛めることのない使用上安全な手袋を提供することが可能である。
【図面の簡単な説明】
【０００９】
【図１】  本考案の手袋用多層構造体の断面構造を示す断面図である。
【考案を実施するための形態】
【００１０】  以下、図面に基づいて本考案の実施態様を詳細に説明する。
図１において、１は本考案の手袋用五層積層体であって、該手袋用五層積層体１は中心層としてのエチレンとビニルアルコールが共重合された共重合体樹脂層２の両面に、外層としてのポリオレフィン系樹脂層３，３を、極性基を有しないポリオレフィン系樹脂薄層４，４を介して緊密に積層してなることを特徴とする手袋用五層積層体である。なお、必要に応じて、色付けしておいても良い。また、ポリオレフィン系樹脂層３，３には、不織布を使用しても良い。また、本考案の手袋用五層積層体は、エチレンとビニルアルコールが共重合された共重合体樹脂層２は延伸された樹脂層であることが望ましい。
【００１１】  前記中心層としての共重合体樹脂層２は、エチレンとビニルアルコールが共重合された樹脂層であって、この樹脂はエバール樹脂とも称されるものであって、薬品耐透過性の極めて優れた樹脂であり、実用性の優れた樹脂である。
なお、前記共重合体樹脂層２は、延伸された樹脂層であることが望ましい。延伸された樹脂層の場合には、未延伸樹脂層の場合に比較して、耐化学薬品浸透性に優れているのである。
【００１２】  次に、表層としてのポリオレフィン系樹脂層３、３はポリエチレン、ポリプロピレンなどのポリオレフィン系の樹脂であり、強度が大きく、ヒートシール性も優れた樹脂である。化学薬品等を扱う手袋用の素材として、優れた樹脂である。
【００１３】  さらに、接着剤層４、４は、カルボキシル基やウレタン基などの酸素や窒素原子団からなる極性基を有しないポリオレフィン系樹脂であって、本考案では、最も重要な接着剤層である。従来の接着剤層としては、ポリウレタン系樹脂やポリオレフィン系樹脂と接着性の良好な極性基を有するポリオレフィン系樹脂が使用されていたが、その場合には、ヒートシール端面から化学薬品が接着剤層４，４を通して内部に浸透して手袋内に浸透する欠陥があったのである。
【００１４】  なお、本考案では、極性基を有しないポリオレフィン系樹脂を接着剤層として使用したものであるが、極性基を有しないポリオレフィン樹脂に極性基を装填することなく、高温の樹脂層として使用することによって、ポリオレフィン樹脂とエチレンとビニルアルコールが共重合樹脂との積層が簡易に形成可能なのである。
【符号の説明】
【００１５】  １    手袋用五層積層体
２    中心層（エチレンとビニルアルコールが共重合された共重合体樹脂層）
３    外層（ポリオレフィン系樹脂層）
４    接着剤層（極性基を有しないポリオレフィン系樹脂薄層）
【図１】
0003195021.tif 000003